(57)【要約】      （修正有）【課題】大規模庭園等で使用する携帯用ブロアの操作者の作業負担を軽減し、作業効率を高める携帯用ブロアを提供する。【解決手段】携帯用ブロア１は、動力源とファン２１とを有する本体２と、送風管３１と送風口３３とを有する送風部３と、熊手部４とを含む。熊手部４は送風管３１に装着可能である。携帯用ブロア１の操作者は、送風管３１に装着した状態で熊手部４を使用することができ、また携帯用ブロア１の一部として熊手部４を一緒に携帯できる。【選択図】図１
0003172412.tif 000002
【実用新案登録請求の範囲】
【請求項１】
動力源とファンとを有する本体と、送風管と送風口とを有する送風部と、を含む携帯用ブロアであって、
熊手部をさらに含み、
前記熊手部は前記送風管に装着可能であることを特徴とする携帯用ブロア。
【請求項２】
前記熊手部は、柄と取り付け部とレーキ部とを備え、
前記取り付け部は、柄から延伸する切欠きのある環状に形成されており、前記送風管に設けられた溝に嵌合することを特徴とする請求項１記載の携帯用ブロア。
【請求項３】
前記熊手部は、柄と取り付け部とレーキ部とを備え、
前記取り付け部は、チルト機構部を介して前記レーキ部に続き、
前記チルト機構部は、前記送風管から上方に延伸して配されていることを特徴とする請求項１記載の携帯用ブロア。
【請求項４】
前記取り付け部は、更に送風管に対する締め具を有していることを特徴とする請求項２または３記載の携帯用ブロア。
【請求項５】
延長部を更に含み、
前記熊手部は、柄と取り付け部とレーキ部とを備え、
前記取り付け部は、柄から延伸する環状に形成されており、前記延長部に通して係止させることを特徴とする請求項１記載の携帯用ブロア。
【考案の詳細な説明】
【技術分野】
【０００１】
本考案は携帯用ブロアに関するものである。
【背景技術】
【０００２】
ブロアとは送風機であって、配電盤等の清掃や、庭園等の清掃に使用される。特に携帯用のものは、庭園等において、木立の下や石の間といった隙間に入り込んだ落ち葉や剪定・伐採後の小枝・葉等を吹き飛ばして集めやすい場所に出すことでその後の収集作業を行いやすくするために用いられている。
【０００３】
図７は、この種の従来の携帯用ブロアの一例を示す。
【０００４】
携帯用ブロア１には、通常、本体部２と送風部３とを含み、本体部２にはバッテリ、商用電源接続部等の動力源（図示せず）と、動力で動作するファン２１と、を有し、送風部３には、当該ファン２１から生じる空気流を送る送風管３１と、送風管３１の先端部に一体となっている送風口３３とを含む（特許文献１）。携帯用ブロアの操作者は、本体部２をベルト等（図示せず）により肩にかけて保持するとともにこれを手で体の前面や側面といった所望の位置に支持し、もう一方の手を送風口３３付近に添えることで送風すべき方向を定める。これによって、送風口３３から送出される空気が落ち葉等に向けられて、落ち葉等は吹き上げられる。操作者は順次移動しながら斯かる動作を行って、落ち葉等を集めやすい場所に吹き出した後、収集作業に入る。
【先行技術文献】
【特許文献】
【０００５】
【特許文献１】特開２０１１−７８８７３号公報
【考案の概要】
【考案が解決しようとする課題】
【０００６】
しかしながら、収集作業には通常熊手やほうきとゴミ袋を用いるが、ブロアの操作には上記したように両手を用いるために熊手やほうきを携帯することができず、熊手やほうきは作業の開始地点に置かれたままとなる。結局ブロアの操作者は、当該開始地点に戻って熊手やほうきを持ってこなければならず、作業効率が著しく落ちることになる。また、操作者は、熊手やほうきを持ってくるために、作業経路を実質１往復分余分に歩くことになるため、作業負担が相当大きなものとなっている。
【０００７】
携帯用ブロアの中には、バキューム機能を組み合わせて、送風と吸引とが行えるようにしたものも市販されている。係るバキューム機能付きの携帯用ブロアは、吸引された落ち葉等を収容するダストパックに専用のものを使用する。ところが、係るダストパックは、容量も小さくかつその処理に手間がかかる。よって、一般家庭の小さな庭などの使用には向いているが、大規模庭園などで作業を行う専門業者の大量の枝葉の処理には適していない。結局、専門業者は、大量の枝葉を処理するために、バキューム機能のない通常の携帯用ブロアを用いて吹き出し作業を行って枝葉等を収集位置に集め、作業開始地点に戻って熊手を取ってきた後に市販の安価なゴミ袋を用いて収集作業を行っている。係るバキューム機能付きの携帯用ブロアでは、専門業者の抱える作業効率の問題も作業負担の問題も解決できなかった。
【０００８】
本発明は前記課題に鑑みて案出されたものであって、携帯用ブロアに、その送風を妨げることなく熊手を一体に取り付け可能にすることで、操作者に携帯用ブロアを用いた吹き出し作業で移動した距離を戻ることなく熊手を使用できるようにし、よって、操作者の作業効率を著しく向上させるとともにその作業負担を大きく軽減することにある。
【課題を解決するための手段】
【０００９】
本発明に係る携帯用ブロアは、動力源とファンとを有する本体と、送風管と送風口とを有する送風部と、を含む携帯用ブロアであって、熊手部をさらに含み、当該熊手部は当該送風管に装着可能であることを特徴とする。
【００１０】
この場合、当該熊手部は、柄と取り付け部とレーキ部とを備え、当該取り付け部は、柄から延伸する切欠きのある環状に形成されており、当該送風管に設けられた溝に嵌合してもよい。
【００１１】
また、この場合、当該熊手部は、柄と取り付け部とレーキ部とを備え、当該取り付け部は、チルト機構部を介して当該レーキ部に続き、当該チルト機構部は、当該送風管から上方に延伸して配されていてもよい。
【００１２】
当該取り付け部は、更に送風管に対する締め具を有していてもよい。
【００１３】
さらにまた、この場合、当該携帯用ブロアは延長部を更に含み、当該熊手部は、柄と取り付け部とレーキ部とを備え、当該取り付け部は、柄から延伸する環状に形成されており、当該延長部に通して係止させてもよい。
【考案の効果】
【００１４】
本発明によれば、上記の構成としたので、送風口からの送風を妨げることなく熊手を一体に取り付けることができるため、熊手を取りに戻るために要する余分な時間及び労力をなくすことができ、作業効率を大幅に高めることができる携帯用ブロアを提供することが可能となる。
また、熊手及び／または送風口の向き及び位置を自在にできるように構成したことで、熊手使用時に送風を利用して作業効率を高めることができる。
【図面の簡単な説明】
【００１５】
【図１】本発明の第１実施形態にかかる携帯用ブロア１において熊手部４を装着した状態を示す概略図である。
【図２】本発明の第１実施形態にかかる携帯用ブロア１において熊手部４を取り外した状態を示す概略図である。
【図３】本発明の第２実施形態にかかる携帯用ブロアにおいてチルト機構を備えた熊手部４を装着した状態を示す部分拡大図である。
【図４】本発明の第３実施形態にかかる携帯用ブロアにおいて湾曲延長部３７と熊手部４とを装着した状態を示す部分拡大図である。
【図５】本発明の第３実施形態にかかる携帯用ブロアにおいて、湾曲した形状を有する送風管３１ｅを用いた状態を示す概略図である。
【図６】本発明の第３実施形態にかかる携帯用ブロアにおいて、送風管３１に直線延長部３９を接続した状態を示す概略図である。
【図７】従来の携帯用ブロアを示す概略図である。
【考案を実施するための形態】
【００１６】
以下、添付図面を参照して本発明に係る携帯用ブロアについて説明する。
【００１７】
（第１実施形態）
図１は本発明の第１実施形態にかかる携帯用ブロアの一例を示す概略図である。
【００１８】
図１及び図２に示すように、本実施形態に係る携帯用ブロア１は、本体部２、送風部３を含み、本体部２にはバッテリ等の動力源（図示せず）と、動力で動作するファン２１とを有し、送風部３には、当該ファン２１から生じる空気流を送出するための送風管３１と、送風管３１の先端部に送風口３３とを有している。
【００１９】
送風管３１は、可撓性を有しており、一端は本体部２に接続されておりもう一端は送風口３３を構成する。送風管３１の送風口３３に近い位置には、熊手部４が装着される。熊手部４は、プラスチック、金属等でできていて、熊手部４のレーキ部４１、柄４３、及び柄４３から延伸する取り付け部４５を備える。取り付け部４５は、送風管３１に熊手部４を装着するために使用される。取り付け部４５は、鉄、ステンレス等のバネ材、プラスチック等でできていることが望ましく、レーキ部４１及び柄４３と一体に同素材になされていてもよく、また取り付け部４５のみを係る素材としてもよい。取り付け部４５は、熊手部４を安定して保持できるよう適当な位置及び個数が設けられる。取り付け部４５は、一部が欠けた環状で当該欠けた部分から送風管３１にカチューシャなどのように差し込んで装着する。送風管３１には、取り付け部４５（４５ａ、４５ｂ）に対応する数及び位置の溝３５（３５ａ、３５ｂ）が設けられて、取り付け部４５（４５ａ、４５ｂ）が嵌合されてもよい。係る溝３５（３５ａ、３５ｂ）と取り付け部４５（４５ａ、４５ｂ）との嵌合で熊手部４は送風管３１に安定して固定される。柄４３は送風管３１に沿うよう例えば半円形の形状に構成されていてもよいし、送風管３１の上部にのみ接するよう構成されていてもよい。また、取り付け部４５は、金属等で送風管３１を挟むように２方向に延伸されていて各端部に耳部を有し該耳部を合わせて耳部に配された孔をネジやボルトで留めるようになされていてもよい。この場合、送風管３１に溝がなくてもよい。また、この場合、取り付け部４５と柄４３及びレーキ部４１とは別個に製造された後にボルト等で接合されたものであってもよい。
【００２０】
図１は熊手部４を装着した携帯用ブロア１であり、一方、図２は送風管３１から熊手部４を取り外した状態を示す拡大図である。熊手部４の取り外しは、取り付け部４５（４５ａ、４５ｂ）を、ネジ等がある場合はこれを緩めまたは外した後に、送風管３１の上方へと持ち上げて行う。熊手部４は使用時のみ装着してもよい。また、レーキ部４１自体はその構造故に送風口３３からの送風を妨げないので、熊手部４を装着したままで吹き出し作業を行ってもよい。
【００２１】
（第２実施形態）
【００２２】
この実施の形態は、熊手部４ｃを送風管３１と接続する際の取り付け部４５ｃに続いてチルト機構部４７を設けることで、レーキ部４１ｃの角度調節を可能にしたものである。チルト機構部４７は、柄４３ｃの全体または一部であってもよいし、柄４３ｃとレーキ部４１ｃとの間に設けられてもよい。図３を参照すると、熊手部４ｃの取り付け部４５ｃは、上記第１実施形態で述べたようなネジ又はボルト等で締め付けるための耳部を備えた切り欠きのある環状または環状になされており、取り付け部４５ｃを送風管３１に通し適当な位置で係止させる。当該取り付け部４５ｃの送風管３１の上側に位置する柄４３ｃの一部としてチルト機構部４７が配される。チルト機構部４７は、チルトの回転支軸を有し、レーキ部４１ｃの角度調節を可能にする。係るチルト機構部４７は板金やアルミダイカスト等でできている。チルト機構部４７は取り付け部４５ｃから送風管３１の上方に延伸しており、回転支軸を介してレーキ部４１ｃを支持する。取り付け部４５ｃは、また、蝶ナット等を設けた環状で調節可能に送風管３１に固定できるものであってもよい。チルト機構部４７を設けたことにより、熊手部４は使いやすい角度に首ふり調整が可能になるので、作業に適した角度を選択でき、収集作業の作業効率を一層高めることができる。
【００２３】
（第３実施形態）
【００２４】
この実施の形態は、送風部３の送風口３３に更に湾曲延長部３７が嵌入などの方法で装着可能になっている。図４を参照すると、送風管３１に装着された湾曲延長部３７は略Ｊ字形に湾曲しており、１つの端部は送風口３３に嵌入され得る寸法になされ、湾曲部分を介したもう１つの端部は、送風口３３側の端部の外径より大なる外径を有している。外径は漸次増大されてもよい。熊手部４ｄの取り付け部４５ｄは、本実施例では、切り欠けのない環状であって、湾曲延長部３７の送風口３３側の外径よりわずかに大きくなされている。これにより、湾曲延長部３７に当該取り付け部４５ｄの環状部分を通すことができるともに、湾曲延長部３７の外径の漸増により取り付け部４５ｄは適当な位置（Ｊ字の折り返し部が望ましい）で係止される。また、湾曲延長部３７及び／または取り付け部４５ｄに適当な係止機構を設けてもよい。湾曲延長部３７を一定の外径のものにすることもでき、この場合には、第１実施形態及び第２実施形態のような取り付け部の締め付けの形状を有していてもよい。なお、係る湾曲延長部３７は、収集する枝葉等を携帯用ブロアの操作者が自分の方に集める際に有効であり、熊手部４ｄを簡単な構造で取り付けることを可能にする。
【００２５】
図５に示すように、この実施形態の別の例では、最初から湾曲した形状を有する送風管３１ｅを用いてもよい。この場合、送風口３３ｅは取り付け部４５ｅを通すために送風口３３ｅ側の方が小さい外径を有していてもよい。取り付け部４５ｅは送風口３３ｅから通して、適当な位置で係止されるように送風管３１ｅは構成される。固定のために、送風管３１ｅに、取り付け部４５ｅが嵌合するような溝を設けてもよい。また、取り付け部４５ｅを第１実施形態や第２実施形態に示したように締め付け可能に設けてもよい。
【００２６】
図６に示すように、この実施形態のまた別の例では、送風管３１に直線延長部３９を接続して延長してもよい。この場合、直線延長部３９は、前記した湾曲延長部３７と同様に嵌入などの方法で装着される。直線延長部３９の、送風管３１から遠位の端部より熊手部４ｆの取り付け部４５ｆを通す。取り付け部４５ｆは、第１実施形態または第２実施形態と同様の方法で締め付けて固定することができる。また、直線延長部３９の柄が接する部分に柄４３ｆが嵌るように凹部（図示せず）を設けてもよい。これにより、延長した状態でも熊手部４ｆを使用する際の安定性を増すことができる。また、熊手部４ｆの安定性が増すので、熊手部４ｆの向きを上下自在に向けることができるようにしてもよい。
【００２７】
なお、熊手部４ｆの向きを逆にできることで、送風しながら落ち葉等を押すことができ、ぬれ落ち葉などの比較的重量があるものに対して有効な使用方法を提供することができる。
【００２８】
本発明の実施の形態において、次のようにしてもよい。
【００２９】
（１）熊手部４は、フォークやほうきであってもよい。また、他の適当な器具を装着可能にしてもよい。
【００３０】
（２）送風管３１及び送風口３３または延長部の形状は、直線または湾曲したものだけでなく、様々な形状のものであってもよい。形状によっては、固定のために送風管３１の送風口３３付近を適当に強化してもよく、また、送風管３１に装着のための凹部などを設けてもよい。
【００３１】
（３）使用時にのみ装着するために操作者がブロア本体とともに携帯できるよう、ブロアの本体部２に熊手部４や延長部３７等の収納を設ける構成としてもよい。
【００３２】
本発明による携帯用ブロア１は、上記した実施形態に限定されず、特許請求の範囲に記載した範囲で種々の変形や改良が可能である。例えば、本実施形態では熊手部４は、取り付け部４５を送風管３１に嵌め込む構成や通す構成などを示したが、他の方法で熊手部４が送風管３に取り付けられてもよく、または最初から一体に作られていてもよい。
【符号の説明】
【００３３】
１  携帯用ブロア
２  本体部
３  送風部
４  熊手部
２１  ファン
３１  送風管
３３  送風口
３５  溝
３７  湾曲延長部
３９  直線延長部
４１  レーキ部
４３  柄
４５  取り付け部
４７  チルト機構部
【図１】
0003172412.tif 000003
【図２】
0003172412.tif 000004
【図３】
0003172412.tif 000005
【図４】
0003172412.tif 000006
【図５】
0003172412.tif 000007
【図６】
0003172412.tif 000008
【図７】
0003172412.tif 000009